(57)【要約】【課題】ノズル孔からの散水は送水管内の水流の継続又は水流の停止により散水又は停止すると共にノズル孔からの散水は回転しながら散水することになって、ノズル体の周囲の全方位に散水することができ、ポンプの断続運転又は停止により、ノズル孔からの散水による散水円は、縮小と拡大を繰り返すため、この散水円内は、完全なる面状散水が実現し、この散水方法により多量に積雪した後も確実な散水と消雪が実現し、消雪用、農業用、園芸用、建物の消火用等に用いることにより散水作業効率を向上することができる。【解決手段】ノズル体Ｎに送水管Ｓ内の水流Ｑの継続又は水流の停止によりノズル孔Ｆを開閉すると共にノズル孔を回転させてノズル孔からの散水Ｗを回転散水可能な回転散水機構Ｒを設けてなる。【選択図】図１
2015104684.tif 000002
【特許請求の範囲】
【請求項１】
送水管にノズル孔を有するノズル体を設け、該送水管内の水流の継続によりノズル孔から散水し、該送水管内の水流の停止により該ノズル孔からの散水を停止する散水ノズルにおいて、上記ノズル体に上記送水管内の水流の継続又は水流の停止によりノズル孔を開閉すると共に該ノズル孔を回転させてノズル孔からの散水を回転散水可能な回転散水機構を設けてなることを特徴とする散水ノズル。
【請求項２】
上記回転散水機構として、上記ノズル体は取付筒体、取付筒体内に回転及び上下動自在に設けられた可動弁体からなり、可動弁体は上記水流の継続により水圧で上昇しながら回転すると共に可動弁体は水流の停止により回転を停止して自重により下降するように設けられ、可動弁体に上記ノズル孔を設け、可動弁体の下降時にノズル孔は取付筒体の内周面により閉塞されて散水を停止し、可動弁体の上昇時にノズル孔は開口して散水するように設けられていることを特徴とする請求項１記載の散水ノズル。
【請求項３】
上記回転散水機構として、上記ノズル体は取付筒体、該取付筒体内に回転及び上下動自在に設けられた可動弁体からなり、該可動弁体は上記水流の継続により水圧で下降しながら回転すると共に該可動弁体は該水流の停止により回転を停止して保持機構により上昇位置に保持されるように設け、該可動弁体に上記ノズル孔を設け、該可動弁体の上昇時に該ノズル孔は該取付筒体の内周面により閉塞されて散水を停止し、該可動弁体の下降時に該ノズル孔は開口して散水するように設けられていることを特徴とする請求項１記載の散水ノズル。
【請求項４】
上記回転散水機構として、上記ノズル体は取付筒体、該取付筒体内に上下動自在に設けられた可動弁体、該可動弁体内に回転自在に設けられた回転弁体、該可動弁体を上記水流の継続により下降させるスクリュウ、該回転弁体を上記水流の継続により回転させると共に該回転弁体を該水流の停止により回転を停止させる回転羽根体及び該可動弁体を該上昇位置に保持可能な保持機構からなり、該回転弁体に上記ノズル孔を設け、該可動弁体の上昇時に該ノズル孔は該可動弁体の内周面により閉塞されて散水を停止し、該可動弁体の下降時に該ノズル孔は開口して散水するように設けられていることを特徴とする請求項１記載の散水ノズル。
【請求項５】
上記回転散水機構として、上記ノズル体は取付筒体、該取付筒体内に上下動自在に設けられた可動弁体、該可動弁体内に回転自在に設けられた回転弁体及び該可動弁体を上記水流の継続により下降させるスクリュウ及び該可動弁体を該上昇位置に保持可能な保持機構からなり、該回転弁体に上記ノズル孔を設け、該ノズル孔は該回転弁体の回転方向斜め後方に向けて形成され、該可動弁体の上昇時に該ノズル孔は可動弁体の内周面により閉塞されて散水を停止し、該可動弁体の下降時に該ノズル孔は開口して該ノズル孔からの散水により該回転弁体が回転して散水するように設けられていることを特徴とする請求項１記載の散水ノズル。
【請求項６】
上記回転散水機構として、上記ノズル体は取付筒体、該取付筒体内に回転自在に設けられた回転弁体、該回転弁体内に回転及び上下動自在に設けられた可動弁体、該可動弁体を上記水流の継続により下降させるスクリュウ、該回転弁体を上記水流の継続により回転させると共に該回転弁体を該水流の停止により回転を停止させる回転羽根体及び該可動弁体を該上昇位置に保持可能な保持機構からなり、該回転弁体に上記ノズル孔を散水が互いに衝突し合わないよう設け、該可動弁体の上昇時に該ノズル孔は可動弁体の外周面により閉塞されて散水を停止し、該可動弁体の下降時に該ノズル孔は開口して散水するように設けられていることを特徴とする請求項１記載の散水ノズル。
【発明の詳細な説明】
【技術分野】
【０００１】
本発明は、例えば路面や建物の屋根の消雪用、農業用、園芸用、建物の消火用等に用いられる散水ノズルに関するものである。
【背景技術】
【０００２】
従来、この種の散水ノズルとして、例えば、消雪用の散水ノズルにあっては、地中に埋設した送水管にノズル孔を有する複数個のノズル体を所定間隔を置いて取付け、送水管に地下水を給送するポンプの吐出管を接続し、ポンプ制御装置により送水管への水の給送又は停止を制御し、送水管内の水流の継続によりノズル孔から散水し、送水管内の水流の停止によりノズル孔からの散水を停止する構造のものが知られている。
【先行技術文献】
【特許文献】
【０００３】
【特許文献１】実開昭６２−４８４５３号公報
【発明の概要】
【発明が解決しようとする課題】
【０００４】
しかしながら上記従来構造の場合、上記ノズル体のノズル孔からの散水はノズル体の中心から外方に向けて放射状に噴射され、例えば、四個のノズル孔を有するノズル体にあっては、中心から放射状に四方に向け散水され、このため、ノズル孔の数だけの散水が放射状に特定の方位にのみ線状に噴射されることになり、このため、ノズル孔の数だけの散水が積雪に接触して部分的に消雪されることになり、それだけ、地下水やポンプ運転の電気を無駄に消費し、消雪効率が低下することがあるという不都合を有している。
【課題を解決するための手段】
【０００５】
本発明はこのような不都合を解決することを目的とするもので、請求項１記載の発明は、送水管にノズル孔を有するノズル体を設け、該送水管内の水流の継続によりノズル孔から散水し、該送水管内の水流の停止により該ノズル孔からの散水を停止する散水ノズルにおいて、上記ノズル体に上記送水管内の水流の継続又は水流の停止によりノズル孔を開閉すると共に該ノズル孔を回転させてノズル孔からの散水を回転散水可能な回転散水機構からなる回転散水機構を設けてなることを特徴とする散水ノズルにある。
【０００６】
又、請求項２記載の発明は、上記回転散水機構として、上記ノズル体は取付筒体、取付筒体内に回転及び上下動自在に設けられた可動弁体からなり、可動弁体は上記水流の継続により水圧で上昇しながら回転すると共に可動弁体は水流の停止により回転を停止して自重により下降するように設けられ、可動弁体に上記ノズル孔を設け、可動弁体の下降時にノズル孔は取付筒体の内周面により閉塞されて散水を停止し、可動弁体の上昇時にノズル孔は開口して散水するように設けられていることを特徴とするものである。
【０００７】
又、請求項３記載の発明は、上記回転散水機構として、上記ノズル体は取付筒体、該取付筒体内に回転及び上下動自在に設けられた可動弁体からなり、該可動弁体は上記水流の継続により水圧で下降しながら回転すると共に該可動弁体は該水流の停止により回転を停止して保持機構により上昇位置に保持されるように設け、該可動弁体に上記ノズル孔を設け、該可動弁体の上昇時に該ノズル孔は該取付筒体の内周面により閉塞されて散水を停止し、該可動弁体の下降時に該ノズル孔は開口して散水するように設けられていることを特徴とするものである。
【０００８】
又、請求項４記載の発明は、上記回転散水機構として、上記ノズル体は取付筒体、該取付筒体内に上下動自在に設けられた可動弁体、該可動弁体内に回転自在に設けられた回転弁体、該可動弁体を上記水流の継続により下降させるスクリュウ、該回転弁体を上記水流の継続により回転させると共に該回転弁体を該水流の停止により回転を停止させる回転羽根体及び該可動弁体を該上昇位置に保持可能な保持機構からなり、該回転弁体に上記ノズル孔を設け、該可動弁体の上昇時に該ノズル孔は該可動弁体の内周面により閉塞されて散水を停止し、該可動弁体の下降時に該ノズル孔は開口して散水するように設けられていることを特徴とするものである。
【０００９】
又、請求項５記載の発明は、上記回転散水機構として、上記ノズル体は取付筒体、該取付筒体内に上下動自在に設けられた可動弁体、該可動弁体内に回転自在に設けられた回転弁体及び該可動弁体を上記水流の継続により下降させるスクリュウ及び該可動弁体を該上昇位置に保持可能な保持機構からなり、該回転弁体に上記ノズル孔を設け、該ノズル孔は該回転弁体の回転方向斜め後方に向けて形成され、該可動弁体の上昇時に該ノズル孔は可動弁体の内周面により閉塞されて散水を停止し、該可動弁体の下降時に該ノズル孔は開口して該ノズル孔からの散水により該回転弁体が回転して散水するように設けられていることを特徴とするものである。
【００１０】
又、請求項６に記載の発明は、上記回転散水機構として、上記ノズル体は取付筒体、該取付筒体内に回転自在に設けられた回転弁体、該回転弁体内に回転及び上下動自在に設けられた可動弁体、該可動弁体を上記水流の継続により下降させるスクリュウ、該回転弁体を上記水流の継続により回転させると共に該回転弁体を該水流の停止により回転を停止させる回転羽根体及び該可動弁体を該上昇位置に保持可能な保持機構からなり、該回転弁体に上記ノズル孔を散水が互いに衝突し合わないよう設け、該可動弁体の上昇時に該ノズル孔は可動弁体の外周面により閉塞されて散水を停止し、該可動弁体の下降時に該ノズル孔は開口して散水するように設けられていることを特徴とするものである。
【発明の効果】
【００１１】
本発明は上述の如く、請求項１記載の発明にあっては、ノズル体に送水管内の水流の継続又は水流の停止によりノズル孔を開閉すると共にノズル孔を回転させてノズル孔からの散水を回転散水可能な回転散水機構を設けてなるから、ノズル孔からの散水は送水管内の水流の継続又は水流の停止により散水又は停止すると共にノズル孔からの散水は回転しながら散水することになって、ノズル体の周囲の全方位に散水することができ、ポンプの断続運転又は停止により、ノズル孔からの散水による散水円は、縮小と拡大を繰り返すため、この散水円内は、完全なる面状散水が実現し、この散水方法により多量に積雪した後も確実な散水と消雪が実現し、節水効果も得ることができ、消雪用として用いることにより消雪効率を向上することができ、農業用、園芸用、建物の消火用等に用いることにより散水作業効率を向上することができる。
【００１２】
又、請求項２記載の発明にあっては、上記回転散水機構として、上記ノズル体は取付筒体、取付筒体内に回転及び上下動自在に設けられた可動弁体からなり、可動弁体は上記水流の継続により水圧で上昇しながら回転すると共に可動弁体は水流の停止により回転を停止して自重により下降するように設けられ、可動弁体に上記ノズル孔を設け、可動弁体の下降時にノズル孔は取付筒体の内周面により閉塞されて散水を停止し、可動弁体の上昇時にノズル孔は開口して散水するように設けてなるから、送水管内の水流の継続によって可動弁体は回転しながら水圧で上昇してノズル孔が開口し、可動弁体は水流の停止により回転を停止して自重により下降することにより散水を停止することになり、ノズル孔からの散水は送水管内の水流の継続又は水流の停止により散水又は停止すると共にノズル孔からの散水は回転しながら散水することになって、ノズル体の周囲の全方位に散水することができ、ポンプの断続運転又は停止により、ノズル孔からの散水による散水円は、縮小と拡大を繰り返すため、この散水円内は、完全なる面状散水が実現し、この散水方法により多量に積雪した後も確実な散水と消雪が実現し、節水効果も得ることができ、消雪用として用いることにより消雪効率を向上することができ、農業用、園芸用、建物の消火用等に用いることにより散水作業効率を向上することができる。
【００１３】
又、請求項３記載の発明にあっては、上記回転散水機構として、上記ノズル体は取付筒体、取付筒体内に回転及び上下動自在に設けられた可動弁体からなり、可動弁体は上記水流の継続により水圧で下降しながら回転すると共に可動弁体は水流の停止により回転を停止して保持機構により上昇位置に保持されるように設け、可動弁体に上記ノズル孔を設け、可動弁体の上昇時にノズル孔は取付筒体の内周面により閉塞されて散水を停止し、可動弁体の下降時にノズル孔は開口して散水するように設けてなるから、送水管内の水流の継続によって可動弁体は回転しながら水圧で下降してノズル孔が開口し、可動弁体は水流の停止により回転を停止して保持機構により上昇位置に保持されることになり、ノズル孔からの散水は送水管内の水流の継続又は水流の停止により散水又は停止すると共にノズル孔からの散水は回転しながら散水することになって、ノズル体の周囲の全方位に散水することができ、ポンプの断続運転又は停止により、ノズル孔からの散水による散水円は、縮小と拡大を繰り返すため、この散水円内は、完全なる面状散水が実現し、この散水方法により多量に積雪した後も確実な散水と消雪が実現し、節水効果も得ることができ、建物の消火用として用いることにより散水作業効率を向上することができ、消雪用等に用いることにより消雪効率を向上することができ、農業用、園芸用として用いることにより散水作業効率を向上することができる。
【００１４】
又、請求項４記載の発明にあっては、上記回転散水機構として、上記ノズル体は取付筒体、取付筒体内に上下動自在に設けられた可動弁体、可動弁体内に回転自在に設けられた回転弁体、可動弁体を上記水流の継続により下降させるスクリュウ、回転弁体を上記水流の継続により回転させると共に回転弁体を水流の停止により回転を停止させる回転羽根体及び可動弁体を上昇位置に保持可能な保持機構からなり、回転弁体に上記ノズル孔を設け、可動弁体の上昇時にノズル孔は可動弁体の内周面により閉塞されて散水を停止し、可動弁体の下降時にノズル孔は開口して散水するように設けてなるから、送水管内の水流の継続によって可動弁体はスクリュウの回転により下降してノズル孔が開口し、回転弁体は回転羽根体により回転し、可動弁体は水流の停止により回転を停止して保持機構により上昇位置に保持されることになり、ノズル孔からの散水は送水管内の水流の継続又は水流の停止によるスクリュウの作用により散水又は停止すると共にノズル孔からの散水は回転羽根体により回転しながら散水することになって、ノズル体の周囲の全方位に散水することができ、ポンプの断続運転又は停止により、ノズル孔からの散水による散水円は、縮小と拡大を繰り返すため、この散水円内は、完全なる面状散水が実現し、この散水方法により多量に積雪した後も確実な散水と消雪が実現し、節水効果も得ることができ、消雪用として用いることにより消雪効率及び消雪効果を向上することができ、農業用、園芸用、建物の消火用等に用いることにより散水作業効率を向上することができ、かつ、可動弁体はスクリュウの回転により下降してノズル孔が開口すると共に回転羽根体の回転により回転しながら散水することができ、ノズル孔の開閉及びノズル孔の回転の各別の作用により確実に回転しながら散水することができる。
【００１５】
又、請求項５記載の発明にあっては、上記回転散水機構として、上記ノズル体は取付筒体、取付筒体内に上下動自在に設けられた可動弁体、可動弁体内に回転自在に設けられた回転弁体及び可動弁体を上記水流の継続により下降させるスクリュウ及び可動弁体を上昇位置に保持可能な保持機構からなり、回転弁体に上記ノズル孔を設け、ノズル孔は回転弁体の回転方向斜め後方に向けて形成され、可動弁体の上昇時にノズル孔は可動弁体の内周面により閉塞されて散水を停止し、可動弁体の下降時にノズル孔は開口してノズル孔からの散水により回転弁体が回転して散水するように設けてなるから、送水管内の水流の継続によって可動弁体はスクリュウの回転により下降してノズル孔が開口し、回転弁体の回転方向斜め後方に向けて形成されたノズル孔により回転し、可動弁体は水流の停止により回転を停止して保持機構により上昇位置に保持されることになり、ノズル孔からの散水は送水管内の水流の継続又は水流の停止によるスクリュウの作用により散水又は停止すると共にノズル孔からの散水は回転弁体の回転方向斜め後方に向けて形成されたノズル孔の作用により回転弁体が回転しながら散水することになって、ノズル体の周囲の全方位に散水することができ、ポンプの断続運転又は停止により、ノズル孔からの散水による散水円は、縮小と拡大を繰り返すため、この散水円内は、完全なる面状散水が実現し、この散水方法により多量に積雪した後も確実な散水と消雪が実現し、節水効果も得ることができ、消雪用として用いることにより消雪効率を向上することができ、農業用、園芸用、建物の消火用等に用いることにより散水作業効率を向上することができ、かつ、可動弁体はスクリュウの回転により下降してノズル孔が開口すると共に回転方向斜め後方に向けて形成されたノズル孔により回転しながら散水することができ、ノズル孔の開閉及びノズル孔の回転の各別の作用により確実に回転しながら散水することができると共に構造を簡素化することができる。
【００１６】
又、請求項６記載の発明にあっては、上記回転散水機構として、上記ノズル体は取付筒体、取付筒体内に回転自在に設けられた回転弁体、回転弁体内に回転及び上下動自在に設けられた可動弁体、可動弁体を上記水流の継続により下降させるスクリュウ、回転弁体を上記水流の継続により回転させると共に回転弁体を水流の停止により回転を停止させる回転羽根体及び可動弁体を上昇位置に保持可能な保持機構からなり、回転弁体に上記ノズル孔を散水が互いに衝突し合わないよう設け、可動弁体の上昇時にノズル孔は可動弁体の外周面により閉塞されて散水を停止し、可動弁体の下降時にノズル孔は開口して散水するように設けてなるから、送水管内の水流の継続によって可動弁体はスクリュウの回転により下降してノズル孔が開口し、回転弁体は回転羽根体により回転し、可動弁体は水流の停止により回転を停止して保持機構により上昇位置に保持されることになり、ノズル孔からの散水は送水管内の水流の継続又は水流の停止によるスクリュウの作用により散水又は停止すると共にノズル孔からの散水は回転羽根体により回転しながら散水することになって、ノズル体の周囲の全方位に散水することができ、ポンプの断続運転又は停止により、ノズル孔からの散水による散水円は、縮小と拡大を繰り返すため、この散水円内は、完全なる面状散水が実現し、この散水方法により多量に積雪した後も確実な散水と消雪が実現し、節水効果も得ることができ、消雪用として用いることにより消雪効率を向上することができ、農業用、園芸用、建物の消火用等に用いることにより散水作業効率を向上することができ、かつ、可動弁体はスクリュウの回転により下降してノズル孔を開口すると共に回転弁体は回転羽根体により回転して回転しながら散水することができ、ノズル孔の開閉及びノズル孔の回転の各別の作用により確実に回転しながら散水することができる。
【図面の簡単な説明】
【００１７】
【図１】本発明の実施の第一形態例の断面図である。
【図２】本発明の実施の第一形態例の断面図である。
【図３】本発明の実施の第一形態例の部分平断面図である。
【図４】本発明の実施の第一形態例の平断面図である。
【図５】本発明の実施の第一形態例の部分平断面図である。
【図６】本発明の実施の第一形態例の説明平面図である。
【図７】本発明の実施の第二形態例の断面図である。
【図８】本発明の実施の第二形態例の断面図である。
【図９】本発明の実施の第三形態例の断面図である。
【図１０】本発明の実施の第三形態例の断面図である。
【図１１】本発明の実施の第三形態例の部分平断面図である。
【図１２】本発明の実施の第三形態例の平断面図である。
【図１３】本発明の実施の第三形態例の部分平断面図である。
【図１４】本発明の実施の第三形態例の平断面図である。
【図１５】本発明の実施の第四形態例の断面図である。
【図１６】本発明の実施の第四形態例の断面図である。
【図１７】本発明の実施の第四形態例の部分平断面図である。
【図１８】本発明の実施の第五形態例の断面図である。
【図１９】本発明の実施の第五形態例の断面図である。
【図２０】本発明の実施の第五形態例の部分平面図である。
【図２１】本発明の実施の第五形態例の平断面図である。
【図２２】本発明の実施の第五形態例の平断面図である。
【図２３】本発明の実施の第五形態例の部分平断面図である。
【発明を実施するための形態】
【００１８】
図１乃至図２３は本発明を消雪用の散水ノズルに適用した実施の形態例を示し、図１乃至図６は請求項１及び請求項２に対応する第一形態例、図７、図８は請求項１及び請求項３に対応する第二形態例、図９乃至図１４は請求項１及び請求項４に対応する第三形態例、図１５乃至図１７は請求項１及び請求項５に対応する第四形態例、図１８乃至図２３は請求項１及び請求項６に対応する第五形態例である。
【００１９】
図１乃至図６の第一形態例において、Ｓは送水管であって、図１、図２の如く、道路の路面に埋設され、送水管Ｓにはノズル孔Ｆを有する複数個のノズル体Ｎが所定間隔を置いて取付固定され、送水管Ｓに地下水を給送する図示省略のポンプの吐出管を接続し、ポンプ制御装置により送水管Ｓへの水の継続給送又は停止を制御し、送水管Ｓ内の水流Ｑの継続によりノズル孔Ｆから散水Ｗし、送水管Ｓ内の水流Ｑの停止によりノズル孔Ｆからの散水Ｗを停止するように構成されている。
【００２０】
Ｒは回転散水機構であって、図１、図２の如く、上記ノズル体Ｎに設けられ、送水管Ｓ内の水流Ｑの継続又は水流Ｑの停止によりノズル孔Ｆを開閉すると共に、ノズル孔Ｆを回転させてノズル孔Ｆからの散水Ｗを回転散水可能に構成している。
【００２１】
この場合、上記回転散水機構Ｒとして、図３（ａ）及び図３（ｂ）の二つの構造を示しており、図１の如く、上記ノズル体Ｎは取付筒体１、取付筒体１内に回転及び上下動自在に設けられた可動弁体２からなり、この場合、図４、図５の如く、可動弁体２は弁体２ａに摺動軸２ｂを垂設し、摺動軸２ｂの下端部にスクリュウ２ｃを取付け、取付筒体１の内周面１ａに可動弁体２の下限位置を規制するストッパ部１ｂを形成してなり、又、取付筒体１は筒体１ｃの内周面に四個の連結板１ｄを介して軸受筒１ｅを形成し、軸受筒１ｅに摺動軸２ｂを軸受して構成され、図３（ａ）においては、可動弁体２に複数個、この場合、四個のノズル孔Ｆを放射状に設け、可動弁体２は上記水流Ｑの継続により水圧で上昇しながらスクリュウ２ｃにより回転すると共に可動弁体２は水流Ｑの停止により回転を停止して自重により下降するように設けられ、図１の如く、可動弁体２の下降時にノズル孔Ｆは取付筒体１の内周面１ａにより閉塞されて散水Ｗを停止し、図２の如く、可動弁体２の上昇時にノズル孔Ｆは開口して散水Ｗするように構成され、図３（ｂ）においては、可動弁体２に複数個、この場合、四個のノズル孔Ｆを設けると共に四個のノズル孔Ｆは可動弁体２の回転方向斜め後方に向けて卍字状に形成され、可動弁体２は上記水流Ｑの継続によりスクリュウ２ｃ及び回転方向斜め後方に向けて形成されたノズル孔Ｆからの散水Ｗにより矢印方向Ｐに回転しながら水圧で上昇すると共に可動弁体２は水流Ｑの停止により回転を停止して自重により下降するように設けられ、可動弁体２の下降時にノズル孔Ｆは取付筒体１の内周面１ａにより閉塞されて散水Ｗを停止し、可動弁体２の上昇時にノズル孔Ｆは開口して散水Ｗするように構成している。
【００２２】
この実施の第一形態例は上記構成であるから、図１、図２の如く、ノズル体Ｎに送水管Ｓ内の水流Ｑの継続又は水流Ｑの停止によりノズル孔Ｆを開閉すると共にノズル孔Ｆを回転させてノズル孔Ｆからの散水Ｗを回転散水可能な回転散水機構Ｒを設けてなるから、ノズル孔Ｆからの散水Ｗは送水管Ｓ内の水流Ｑの継続又は水流Ｑの停止により散水Ｗ又は停止すると共にノズル孔Ｆからの散水Ｗは回転しながら散水Ｗすることになって、図６の如く、ノズル体Ｎの周囲の全方位に散水Ｗすることができ、ポンプの断続運転又は停止により、ノズル孔Ｆからの散水Ｗによる散水円は、縮小と拡大を繰り返すため、この散水円内は、完全なる面状散水が実現し、この散水方法により多量に積雪した後も確実な散水Ｗと消雪が実現し、節水効果も得ることができ、消雪用として用いることにより消雪効率を向上することができ、農業用、園芸用、建物の消火用等に用いることにより散水作業効率を向上することができる。
【００２３】
又、この場合、上記回転散水機構Ｒとして、図１、図２の如く、上記ノズル体Ｎは取付筒体１、取付筒体１内に回転及び上下動自在に設けられた可動弁体２からなり、可動弁体２は上記水流Ｑの継続により水圧で上昇しながら回転すると共に可動弁体２は水流Ｑの停止により回転を停止して自重により下降するように設けられ、可動弁体２に上記ノズル孔Ｆを設け、図１の如く、可動弁体２の下降時にノズル孔Ｆは取付筒体１の内周面１ａにより閉塞されて散水Ｗを停止し、図２の如く、可動弁体２の上昇時にノズル孔Ｆは開口して散水Ｗするように設けているから、送水管Ｓ内の水流Ｑの継続によって、図３（ａ）の構造にあっては、可動弁体２はスクリュウ２ｃにより回転しながら水圧で上昇してノズル孔Ｆが開口し、可動弁体２は水流Ｑの停止により回転を停止して自重により下降することにより散水Ｗを停止することになり、図３（ｂ）の構造にあっては、スクリュウ２ｃ及び可動弁体２の回転方向斜め後方に向けて卍字状に形成されたノズル孔Ｆからの散水Ｗにより矢印方向Ｐに回転しながら水圧で上昇すると共に可動弁体２は水流Ｑの停止により回転を停止して自重により下降するように設けられ、ノズル孔Ｆからの散水Ｗは送水管Ｓ内の水流Ｑの継続又は水流Ｑの停止により散水Ｗ又は停止すると共にノズル孔Ｆからの散水Ｗは回転しながら散水Ｗすることになって、図６の如く、ノズル体Ｎの周囲の全方位に散水Ｗすることができ、ポンプの断続運転又は停止により、ノズル孔Ｆからの散水Ｗによる散水円は、縮小と拡大を繰り返すため、この散水円内は、完全なる面状散水が実現し、この散水方法により多量に積雪した後も確実な散水Ｗと消雪が実現し、節水効果も得ることができ、消雪用として用いることにより消雪効率を向上することができ、農業用、園芸用、建物の消火用等に用いることにより散水作業効率を向上することができる。
【００２４】
なお、この第一形態例において、上記図１、図３（ａ）で示したスクリュウ２ｃにより可動弁体２を回転させて散水Ｗする構造、上記図１、図３（ｂ）で示したスクリュウ２ｃ及び卍字状のノズル孔Ｆからの散水Ｗにより可動弁体２を回転させる構造の他、上記（ａ）で示した構造のスクリュウ２ｃを無くし、可動弁体２を卍字状のノズル孔Ｆからの散水Ｗのみにより回転させながら水圧で上昇する構造を採用することもあり、この構造においても、上記同様な作用効果を得ることができる。
【００２５】
図７、図８の第二形態例は回転散水機構Ｒの別例構造を示し、この場合、消火用、消雪用として、建物等の上方位置に送水管Ｓが配設され、送水管Ｓの下部にノズル体Ｎが取付固定され、上記回転散水機構Ｒとして、上記ノズル体Ｎは取付筒体１１、取付筒体１１内に回転及び上下動自在に設けられた可動弁体１２からなり、この場合、可動弁体１２は弁体１２ａに摺動軸１２ｂを垂設し、摺動軸１２ｂの下端部にスクリュウ１２ｃを取付け、取付筒体１１の内周面１１ａに可動弁体１２の下限位置を規制するストッパ部１１ｂを形成してなり、又、取付筒体１１は筒体１１ｃの内周面に四個の連結板１１ｄを介して軸受筒１１ｅを形成し、軸受筒１１ｅに摺動軸１２ｂを軸受して構成され、図７、図８の如く、可動弁体１２は上記水流Ｑの継続により水圧で下降しながら回転すると共に可動弁体１２は水流Ｑの停止により回転を停止して保持機構１３により上昇位置に保持されるように設け、この場合、保持機構１３として、可動弁体１２側の磁石１３ａと取付筒体１１側の磁石１３ｂが用いられ、磁石１３ａと磁石１３ｂとの磁着作用により可動弁体１２を上昇位置に保持するように設けられ、可動弁体１２に上記ノズル孔Ｆを設け、可動弁体１２の上昇時にノズル孔Ｆは取付筒体１１の内周面１１ａにより閉塞されて散水Ｗを停止し、可動弁体１２の下降時にノズル孔Ｆは開口して散水Ｗするように設けられている。
【００２６】
この実施の第二形態例は上記構成であるから、図７、図８の如く、送水管Ｓ内の水流Ｑの継続によって、可動弁体１２はスクリュウ１２ｃにより回転しながら水圧で下降してノズル孔Ｆが開口し、図７の如く、可動弁体１２は水流Ｑの停止により回転を停止して保持機構１３により上昇位置に保持されることになり、ノズル孔Ｆからの散水Ｗは送水管Ｓ内の水流Ｑの継続又は水流Ｑの停止により散水Ｗ又は停止すると共にノズル孔Ｆからの散水Ｗは回転しながら散水Ｗすることになって、ノズル体Ｎの周囲の全方位に散水Ｗすることができ、ポンプの断続運転又は停止により、ノズル孔Ｆからの散水Ｗによる散水円は、縮小と拡大を繰り返すため、この散水円内は、完全なる面状散水が実現し、この散水方法により多量に積雪した後も確実な散水Ｗと消雪が実現し、節水効果も得ることができ、建物の消火用として用いることにより散水作業効率を向上することができ、消雪用等に用いることにより消雪効率を向上することができ、農業用、園芸用として用いることにより散水作業効率を向上することができる。
【００２７】
尚、この第二形態例においても、上記第一形態例の図３（ａ）及び（ｂ）の構造と同様な構造を採用することもできる。
【００２８】
図９乃至図１４の第三形態例は回転散水機構Ｒの別例構造を示し、この場合、上記第一形態例と同様に道路の路面に埋設された送水管Ｓにノズル体Ｎを所定間隔を置いて取付固定し、ポンプからの送水管Ｓへの水の継続給送又は停止を制御することにより消雪用としての散水ノズルに適用され、上記回転散水機構Ｒとして、上記ノズル体Ｎは取付筒体２１、取付筒体２１内に上下動自在に設けられた可動弁体２２、可動弁体２２内に回転自在に設けられた回転弁体２４、可動弁体２２を上記水流Ｑの継続により下降させるスクリュウ２５、回転弁体２４を上記水流Ｑの継続により回転させると共に回転弁体２４を水流Ｑの停止により回転を停止させる回転羽根体２６及び可動弁体２２を上昇位置に保持可能な保持機構２３からなり、この場合、図１１、図１２、図１３、図１４の如く、可動弁体２２は取付筒体２１の内周面２１ａに摺動自在に摺動筒２２ａを設け、摺動筒２２ａに連結板２２ｂを介して軸受筒２２ｃを形成し、可動弁体２２の下部にスクリュウ２５を取付け、回転弁体２４は弁体２４ａに摺動軸２４ｂを垂設し、摺動軸２４ｂの下端部に回転羽根体２６を取付け、取付筒体２１の内周面２１ａに可動弁体２２の下限位置を規制するストッパ部２１ｂを形成し、軸受筒２２ｃに摺動軸２４ｂを軸受して構成され、又、保持機構２３として、可動弁体２２側の磁石２３ａとスクリュウ２５側の図示省略の磁石が用いられ、磁石２３ａと磁石との磁着作用により可動弁体２２を上昇位置に保持するように設け、回転弁体２４に上記ノズル孔Ｆを設け、図９、図１０の如く、可動弁体２２の上昇時にノズル孔Ｆは可動弁体２２の内周面２２ｄにより閉塞されて散水Ｗを停止し、可動弁体２２の下降時にノズル孔Ｆは開口して散水Ｗするように設けて構成している。
【００２９】
この実施の第三形態例は上記構成であるから、送水管Ｓ内の水流Ｑの継続によって、図９、図１０の如く、可動弁体２２はスクリュウ２５の回転により下降してノズル孔Ｆが開口し、回転弁体２４は回転羽根体２６により回転し、可動弁体２２は水流Ｑの停止により回転を停止して保持機構２３により上昇位置に保持されることになり、図９の如く、ノズル孔Ｆからの散水Ｗは送水管Ｓ内の水流Ｑの継続又は水流Ｑの停止によるスクリュウ２５の作用により散水Ｗ又は停止すると共に、図１０の如く、ノズル孔Ｆからの散水Ｗは回転羽根体２６により回転しながら散水Ｗすることになって、ノズル体Ｎの周囲の全方位に散水Ｗすることができ、ポンプの断続運転又は停止により、ノズル孔Ｆからの散水Ｗによる散水円は、縮小と拡大を繰り返すため、この散水円内は、完全なる面状散水が実現し、この散水方法により多量に積雪した後も確実な散水Ｗと消雪が実現し、節水効果も得ることができ、消雪用として用いることにより消雪効率を向上することができ、農業用、園芸用、建物の消火用等に用いることにより散水作業効率を向上することができ、かつ、可動弁体２２はスクリュウ２５の回転により下降してノズル孔Ｆが開口すると共に回転羽根体２６の回転により回転しながら散水Ｗすることができ、ノズル孔Ｆの開閉及びノズル孔Ｆの回転の各別の作用により確実に回転しながら散水Ｗすることができる。
【００３０】
図１５乃至図１７の第四形態例は回転散水機構Ｒの別例構造を示し、この場合、上記第一形態例と同様に道路の路面に埋設された送水管Ｓにノズル体Ｎを所定間隔を置いて取付固定し、ポンプからの送水管Ｓへの水の継続給送又は停止を制御することにより消雪用としての散水ノズルに適用され、上記回転散水機構Ｒとして、上記ノズル体Ｎは取付筒体３１、取付筒体３１内に上下動自在に設けられた可動弁体３２、可動弁体３２内に回転自在に設けられた回転弁体３４及び可動弁体３２を上記水流Ｑの継続により下降させるスクリュウ３５及び可動弁体３２を該上昇位置に保持可能な保持機構３３からなり、この場合、可動弁体３２は取付筒体３１の内周面３１ａに摺動自在に摺動筒３２ａを設け、摺動筒３２ａに連結板３２ｂを介して軸受筒３２ｃを形成し、可動弁体３２の下部にスクリュウ３５を取付け、回転弁体３４は弁体３４ａに摺動軸３４ｂを垂設し、取付筒体３１の内周面３１ａに可動弁体３２の下限位置を規制するストッパ部３１ｂを形成し、軸受筒３２ｃに摺動軸３４ｂを軸受して構成され、又、保持機構３３として、可動弁体３２側の磁石３３ａとスクリュウ３５側の図示省略の磁石が用いられ、磁石３３ａと磁石との磁着作用により可動弁体３２を上昇位置に保持するように設け、回転弁体３４に上記ノズル孔Ｆを設け、図１７の如く、ノズル孔Ｆは回転弁体３４の回転方向斜め後方に向けて卍字状に形成され、図１５の如く、可動弁体３２の上昇時にノズル孔Ｆは可動弁体３２の内周面３２ｄにより閉塞されて散水Ｗを停止し、図１６、図１７の如く、可動弁体３２の下降時にノズル孔Ｆは開口して卍字状のノズル孔Ｆからの散水Ｗにより回転弁体３４が矢印方向Ｐに回転して散水Ｗするように設けて構成している。
【００３１】
この実施の第四形態例は上記構成であるから、図１５、図１６の如く、送水管Ｓ内の水流Ｑの継続によって可動弁体３２はスクリュウ３５の回転により下降してノズル孔Ｆが開口し、回転弁体３４の回転方向斜め後方に向けて形成されたノズル孔Ｆにより回転し、可動弁体３２は水流Ｑの停止により回転を停止して保持機構３３により上昇位置に保持されることになり、ノズル孔Ｆからの散水Ｗは送水管Ｓ内の水流Ｑの継続又は水流Ｑの停止によるスクリュウ３５の作用により散水Ｗ又は停止すると共にノズル孔Ｆからの散水Ｗは回転弁体３４の回転方向斜め後方に向けて形成されたノズル孔Ｆの作用により回転弁体３４が回転しながら散水Ｗすることになって、ノズル体Ｎの周囲の全方位に散水Ｗすることができ、ポンプの断続運転又は停止により、ノズル孔Ｆからの散水Ｗによる散水円は、縮小と拡大を繰り返すため、この散水円内は、完全なる面状散水が実現し、この散水方法により多量に積雪した後も確実な散水Ｗと消雪が実現し、節水効果も得ることができ、消雪用として用いることにより消雪効率を向上することができ、農業用、園芸用、建物の消火用等に用いることにより散水作業効率を向上することができ、かつ、可動弁体３２はスクリュウ３５の回転により下降してノズル孔Ｆが開口すると共に回転方向斜め後方に向けて形成されたノズル孔Ｆにより矢印方向Ｐに回転しながら散水Ｗすることができ、ノズル孔Ｆの開閉及びノズル孔Ｆの回転の各別の作用により確実に回転しながら散水Ｗすることができると共に構造を簡素化することができる。
【００３２】
図１８乃至図２３の第五形態例は回転散水機構Ｒの別例構造を示し、この場合、上記第一形態例と同様に道路の路面に埋設された送水管Ｓにノズル体Ｎを所定間隔を置いて取付固定し、ポンプからの送水管Ｓへの水の継続給送又は停止を制御することにより消雪用としての散水ノズルに適用され、上記回転散水機構Ｒとして、上記ノズル体Ｎは取付筒体４１、取付筒体４１内に回転自在に設けられた回転弁体４４、回転弁体４４内に回転及び上下動自在に設けられた可動弁体４２、可動弁体４２を上記水流Ｑの継続により下降させるスクリュウ４５、回転弁体４４を上記水流Ｑの継続により回転させると共に回転弁体４４を水流Ｑの停止により回転を停止させる回転羽根体４６及び可動弁体４２を上昇位置に保持可能な保持機構４３からなり、この場合、図２０、図２１、図２２、図２３の如く、回転弁体４４は弁体４４ａの中心部に摺動筒４４ｂを形成し、可動弁体４２に摺動軸４２ａを形成し、摺動筒４４ｂに摺動軸４２ａを軸受し、可動弁体４２の下部にスクリュウ４５を取付け、回転弁体４４の下端部に回転羽根体４６を取付け、取付筒体４１の内周面４１ａに可動弁体４２の下限位置を規制するストッパ部４１ｂを形成して構成され、又、保持機構４３として、可動弁体４２側の図示省略の磁石とスクリュウ４５側の磁石４３ａが用いられ、図１８の如く、磁石と磁石４３ａとの磁着作用により可動弁体４２を上昇位置に保持するように設け、かつ、回転弁体４４に上記ノズル孔Ｆを散水Ｗが互いに衝突し合わないよう設け、図１８の如く、可動弁体４２の上昇時にノズル孔Ｆは可動弁体４２の外周面４２ｂにより閉塞されて散水Ｗを停止し、図１９の如く、可動弁体４２の下降時にノズル孔Ｆは開口して散水Ｗするように構成されている。
【００３３】
この場合、上記ノズル孔Ｆを散水Ｗが互いに衝突し合わないように、ノズル孔Ｆを回転弁体４４の表面の略半周領域に形成すると共にノズル孔Ｆの射出角度θを互いに異ならせる構造を採用している。
【００３４】
この実施の第五形態例は上記構成であるから、図１８、図１９の如く、送水管Ｓ内の水流Ｑの継続によって可動弁体４２はスクリュウ４５の回転により下降してノズル孔Ｆが開口し、回転弁体４４は回転羽根体４６により回転し、図１８の如く、可動弁体４２は水流Ｑの停止により回転を停止して保持機構４３により上昇位置に保持されることになり、ノズル孔Ｆからの散水Ｗは送水管Ｓ内の水流Ｑの継続又は水流Ｑの停止によるスクリュウ４５の作用により散水Ｗ又は停止すると共にノズル孔Ｆからの散水Ｗは回転羽根体４６により回転しながら散水Ｗすることになって、ノズル体Ｎの周囲の全方位に散水Ｗすることができ、ポンプの断続運転又は停止により、ノズル孔Ｆからの散水Ｗによる散水円は、縮小と拡大を繰り返すため、この散水円内は、完全なる面状散水が実現し、この散水方法により多量に積雪した後も確実な散水Ｗと消雪が実現し、節水効果も得ることができ、消雪用として用いることにより消雪効率を向上することができ、農業用、園芸用、建物の消火用等に用いることにより散水作業効率を向上することができ、かつ、可動弁体４２はスクリュウ４５の回転により下降してノズル孔Ｆを開口すると共に回転弁体４４は回転羽根体４６により回転して回転しながら散水Ｗすることができ、ノズル孔Ｆの開閉及びノズル孔Ｆの回転の各別の作用により確実に回転しながら散水Ｗすることができる。
【００３５】
尚、本発明は上記実施の形態例に限られるものではなく、駐車場、道路の路面や建物の屋根の消雪用、農業用、園芸用、建物の消火用等、多用途に用いられ、かつ、ノズル体Ｎの形態や大きさ、ノズル孔Ｆの数、回転散水機構Ｒの構造は適宜変更して設計されるものである。
【００３６】
又、例えば、上記ノズル体Ｎ内に水流Ｑにより発電可能なタービンを有する発電部及びＬＥＤ等の発光部を配設し、散水時にノズル孔Ｆからの散水Ｗが光る構造を採用することもある。
【００３７】
以上、所期の目的を充分達成することができる。
【符号の説明】
【００３８】
Ｓ    送水管
Ｆ    ノズル孔
Ｎ    ノズル体
Ｒ    回転散水機構
Ｑ    水流
Ｗ    散水
１・１１・２１・３１・４１    取付筒体
１ａ・１１ａ・２２ｄ・３２ｄ    内周面
２・１２・２２・３２・４２    可動弁体
１３・２３・３３・４３  保持機構
２４・３４・４４    回転弁体
２５・３５・４５    スクリュウ
２６・４６    回転羽根体
４２ｂ    外周面
【図１】
2015104684.tif 000003
【図２】
2015104684.tif 000004
【図３】
2015104684.tif 000005
【図４】
2015104684.tif 000006
【図５】
2015104684.tif 000007
【図６】
2015104684.tif 000008
【図７】
2015104684.tif 000009
【図８】
2015104684.tif 000010
【図９】
2015104684.tif 000011
【図１０】
2015104684.tif 000012
【図１１】
2015104684.tif 000013
【図１２】
2015104684.tif 000014
【図１３】
2015104684.tif 000015
【図１４】
2015104684.tif 000016
【図１５】
2015104684.tif 000017
【図１６】
2015104684.tif 000018
【図１７】
2015104684.tif 000019
【図１８】
2015104684.tif 000020
【図１９】
2015104684.tif 000021
【図２０】
2015104684.tif 000022
【図２１】
2015104684.tif 000023
【図２２】
2015104684.tif 000024
【図２３】
2015104684.tif 000025